(57)【特許請求の範囲】
【請求項１】
コンクリート型枠に固定された位置決め板と、
前記位置決め板に下端が嵌合され、受皿部と該受皿部から下方に延成された排水管部とからなるドレイン本体の、その受皿部の下底面とコンクリート型枠との間に、前記排水管部を囲うようにして介装されて、ドレイン本体を前記コンクリート型枠上に所要間隔で支持する筒状スペーサと、
前記ドレイン本体の受皿部の内底面、もしくは受皿部の周壁上面に乗載した挟圧板をコンクリート型枠側に圧接して、前記筒状スペーサとで受皿部を挟持する挟持手段とを備えたドレイン本体の固定装置において、
前記筒状スペーサと、ドレイン本体の排水管部との間に生ずる環状間隙内に圧縮状態で嵌入されて、排水管部を筒状スペーサに対して同心状に保持する弾性支持体を備えてなることを特徴とするドレイン本体の固定装置。
【請求項２】
前記弾性支持体が、弾性を有する発泡材からなる棒状成形体であることを特徴とする請求項１に記載したドレイン本体の固定装置。
【発明の詳細な説明】
【０００１】
【発明の属する技術分野】
本発明は、ルーフドレインのドレイン本体を、コンクリートの打設前にコンクリート型枠に固定するための固定装置に関する。
【０００２】
【従来の技術】
ドレイン本体の固定装置としては、図４に示すように、コンクリート型枠ａの所定位置に固定した円形の位置決め板ｂに筒状スペーサｃの下端を嵌合し、該筒状スペーサｃ上にドレイン本体Ａの受皿部ｄを載置することにより、排水管部ｅを下方突成したドレイン本体Ａの受皿部ｄの下底面と、コンクリート型枠ａとの間に、前記排水管部ｅを囲うようにして筒状スペーサｃを介装させて、該筒状スペーサｃによってドレイン本体Ａをコンクリート型枠ａに対して所要間隔で支持させる一方、前記受皿部ｄの内底面ｆ上に挟圧板ｇを乗載し、前記位置決め板ｂの中央部に立設した螺子杆ｈを該挟圧板ｇの中心透孔ｉに挿通させ、その挟圧板ｇ上に突出する螺子杆ｈの上端部に螺着した蝶ナットｊの緊締作用により、挟圧板ｇをコンクリート型枠ａ側に圧接して、該挟圧板ｇと筒状スペーサｃとで受皿部ｄを挟持する挟持手段によって、ドレイン本体Ａを固定するようにしたものが知られている。
【０００３】
また、このように固定されたドレイン本体Ａには、外周囲に打設されるコンクリートｐの流入を防止する養生蓋ｋが受皿部ｄを覆うように被着される。該養生蓋ｋは、その中央の透孔ｍに挿通した前記螺子杆ｈの突出端にバネクリップｎ等を止着することにより固定されている。
【０００４】
そして、この状態で型枠ａ内にコンクリートｐを打設するようにしている。
【０００５】
【発明が解決しようとする課題】
この種の固定装置にあっては、上記のように筒状スペーサｃ上にドレイン本体Ａの受皿部ｄを載置した状態で、挟持手段によって該受皿部ｄを挟持して固定するものであり、ドレイン本体Ａと筒状スペーサｃとの直接的な位置決め手段を備えていないため、施工現場において、ドレイン本体Ａを筒状スペーサｃ上に載置する際に、受皿部ｄが筒状スペーサｃの中心からずれ易く、このようなずれが生じていると、ドレイン本体Ａを正規の位置に設置することができないという問題点がある。
【０００６】
また、前記固定装置によってドレイン本体Ａを固定した状態にあって、筒状スペーサｃの上端が当接する受皿部ｄの下底面に凹凸があると、打設されたコンクリートｐが該凹凸に起因して生じている隙間から筒状スペーサｃ内に流入し、排水管部ｅに接続される縦樋を挿通するための環状間隙ｒ内で凝固して、前記縦樋の接続ができなくなる恐れがあるという問題点がある。
【０００７】
本発明は、かかる従来構成の問題点を解消することを目的とするものである。
【０００８】
【課題を解決するための手段】
本発明は、コンクリート型枠に固定された位置決め板と、
前記位置決め板に下端が嵌合され、受皿部と該受皿部から下方に延成された排水管部とからなるドレイン本体の、その受皿部の下底面とコンクリート型枠との間に、前記排水管部を囲うようにして介装されて、ドレイン本体を前記コンクリート型枠上に所要間隔で支持する筒状スペーサと、
前記ドレイン本体の受皿部の内底面、もしくは受皿部の周壁上面に乗載した挟圧板をコンクリート型枠側に圧接して、前記筒状スペーサとで受皿部を挟持する挟持手段と
を備えたドレイン本体の固定装置において、
前記筒状スペーサと、ドレイン本体の排水管部との間に生ずる環状間隙内に圧縮状態で嵌入されて、排水管部を筒状スペーサに対して同心状に保持する弾性支持体を備えてなることを特徴とするドレイン本体の固定装置である。
【０００９】
この構成にあって、前記弾性支持体としては、弾性を有する発泡材からなる棒状成形体が好適なものとして提案され得る。
【００１０】
かかる構成にあって、弾性支持体を、筒状スペーサとドレイン本体の排水管部との間に生ずる環状間隙内に圧縮状態で嵌入することにより、排水管部が筒状スペーサに対して同心状に保持される。これにより、受皿部が筒状スペーサの中心からずれることがなく、ドレイン本体を正規の位置に設置することができる。
【００１１】
また、固定装置によってドレイン本体を固定した状態にあって、弾性支持体が環状間隙内に圧縮状態で嵌入されていることにより、受皿部の下底面の凹凸に起因する隙間から筒状スペーサ内にコンクリートが流入しても、該コンクリートを前記弾性支持体によって堰止めることができる。そして、コンクリートの凝固後に前記弾性支持体を取り除くことによって、環状間隙内に縦樋を挿通するスペースを確保することができ、排水管部への縦樋の接続を支承なく行うことができる。
【００１２】
【発明の実施の形態】
以下に、本発明の一実施例を、図１，図２について説明する。
【００１３】
１は、ルーフドレインのドレイン本体であって、該ドレイン本体１は、コンクリートｐの打設前に固定装置２によってコンクリート型枠３の所定位置に固定される。
【００１４】
４は、前記固定装置２を構成する円形の位置決め板であって、該位置決め板４は、前記コンクリート型枠３の上面の所定位置に固定され、該位置決め板４に下端を外嵌した筒状スペーサ５上に前記ドレイン本体１が載置される。該ドレイン本体１は受皿部６と該受皿部６から下方突成された排水管部７とからなり、該排水管部７を囲うようにして前記筒状スペーサ５を受皿部６の下底面６ａとコンクリート型枠３との間に介装させて、ドレイン本体１をコンクリート型枠３上に所要間隔で支持するようにしている。
【００１５】
前記筒状スペーサ５と、排水管部７との間に生ずる環状間隙８内には、弾性支持体９が圧縮状態で嵌入される。該弾性支持体９は、図２に示すように、同一断面形状の長尺な棒状体であり、その長さが前記環状間隙８の円周の長さと略等しく、かつ、その断面の厚みが環状間隙８の間隙幅より大きな寸法で形成されている。この弾性支持体９としては、弾性を有する発泡材からなる棒状成形体が好適に使用され得る。そして、該弾性支持体９を環状間隙８内にその円周方向に丸めて圧縮状態で嵌入することにより、筒状スペーサ５と排水管部７との間に弾性支持体９が均等の厚みで介装されている。これにより、排水管部７を筒状スペーサ５に対して同心状に保持するようにしている。
【００１６】
さらに、前記位置決め板４の中心部にはナットを固着してなる雌螺子部１０が設けられ、該雌螺子部１０に下端を螺合することにより螺子杆１１が立設される。また、前記受皿部６の周壁６ｂの上面には、受皿部６を覆うようにして抜き型を兼ねた挟圧板１２が乗載される。そして、該挟圧板１２の中央に形成された透孔１３に前記螺子杆１１を挿通させ、挟圧板１２上に突出する螺子杆１１の上端部にナット１４を螺着して、その緊締作用により、挟圧板１２をコンクリート型枠３側に押圧させて、該挟圧板１２と前記筒状スペーサ５とで受皿部６を挟持することにより、ドレイン本体１を固定するようにしている。そして、この螺子杆１１及びナット１４を、挟圧板１２をコンクリート型枠３側に押圧して、筒状スペーサ５とで受皿部６を挟持させる挟持手段としている。また、前記挟圧板１２によって、型枠３へのコンクリートｐの打設時に、該コンクリートｐの受皿部６内への流入を防止する養生蓋と、受皿部６の上部周縁に排水溝を形成する抜き型とを兼用するようにしている。
【００１７】
これにより、ドレイン本体１の固定装置２が構成されている。
【００１８】
かかる構成からなる固定装置２にあって、ドレイン本体１をコンクリート型枠３に固定するに際して、施工現場において、まず、排水管部７に筒状スペーサ５を外嵌し、該筒状スペーサ５と排水管部７との間に生ずる環状間隙８内に、その全周に亘って弾性支持体９を圧縮状態で嵌入して、筒状スペーサ５と排水管部７との間に弾性支持体９を均等の厚みで介装する。これにより、排水管部７が筒状スペーサ５に対して同心状に保持されることとなる。そして、この状態で筒状スペーサ５の下端を位置決め板４に外嵌し、挟持手段の螺子杆１１及びナット１４によって、挟圧板１２をコンクリート型枠３側に押圧して、筒状スペーサ５の上端とで受皿部６を挟持させることにより、図１に示すように、ドレイン本体１を固定する。ここで、排水管部７が筒状スペーサ５に対して同心状に保持されていることにより、受皿部６が筒状スペーサ５の中心からずれることがなく、この状態でコンクリート型枠３内にコンクリートｐを打設することにより、ドレイン本体１を正規の位置に設置することができる。
【００１９】
また、上記のように、ドレイン本体１を固定してコンクリートｐを打設したとき、受皿部６の下底面６ａの凹凸に起因する隙間から筒状スペーサ５内にコンクリートｐが流入しても、弾性支持体９が環状間隙８内に圧縮状態で嵌入されていることにより、該弾性支持体９によって流入したコンクリートｐを堰止めることができる。これにより、コンクリートｐの凝固後に、排水管部７に接続される縦樋を挿通するためのスペースを環状間隙８内に確保することができる。
【００２０】
そして、打設したコンクリートｐが凝固したら、ナット１４を緩めて除去し、挟圧板１２を上方に引き抜いて螺子杆１１から取り外した後、コンクリート型枠３を取り外すと位置決め板４及び螺子杆１１も同時に除去される。このように各部品を取り外すと、凝固したコンクリートｐ内には、ドレイン本体１が固結されるとともに、筒状スペーサ５と、弾性支持体９とが残存することとなる。そして、この状態において、弾性支持体９を環状間隙８から下方に引出して除去することができる。また、筒状スペーサ５は、そのまま残されて排水管部７に接続される縦樋を挿通するための挿通孔１５の内周面を覆うものとなる。
【００２１】
尚、上記実施例では、環状間隙８の円周の長さと略等しい長さ寸法の棒状に形成した弾性支持体９を用いた場合について説明したが、これに代えて、環状間隙８の直径に略一致するように、弾性を有する発泡材を環状に成形した環状成形体を用いてもよい。ここで、上記実施例のように、弾性支持体９を長尺な棒状に形成し、環状間隙８の円周の長さに略一致するように切断して用いれば、前記環状成形体と比較して、その製造コストを低減し得る利点がある。また、上記実施例では、弾性支持体９が中実状となったものを図示して説明したが、該弾性支持体９は管状であってもよい。
【００２２】
また、上記実施例では、挟圧板１２を、受皿部６の周壁６ｂの上面に乗載して、抜き型及び養生蓋の機能も得られるようにした構成について説明したが、これに代えて図３に示すように、挟圧板１２を、受皿部６の内底面６ｃに乗載し、該挟圧板１２の中央の透孔１３に螺子杆１１を挿通させ、挟圧板１２上に突出する螺子杆１１にナット１４を螺着して、その緊締作用により、挟圧板１２をコンクリート型枠３側に押圧させるようにしてもよい。この場合には、受皿部６を覆う養生蓋１６が別途設けられる。
【００２３】
【発明の効果】
本発明は上述のように、筒状スペーサ５と、ドレイン本体１の排水管部７との間に生ずる環状間隙８内に、弾性支持体９を圧縮状態で嵌入し、該弾性支持体９によって排水管部７を筒状スペーサ５に対して同心状に保持するようにしたから、ドレイン本体１が筒状スペーサ５に対して位置決めされ、受皿部６が筒状スペーサ５の中心からずれることがない。これにより、ドレイン本体１を正規の位置に設置することができる。
【００２４】
また、上記のように、弾性支持体９が環状間隙８内に圧縮状態で嵌入されていることにより、受皿部６の下底面６ａの凹凸に起因する隙間から筒状スペーサ５内にコンクリートｐが流入しても、該コンクリートｐを前記弾性支持体９によって堰止めることができ、コンクリートｐの凝固後に、環状間隙８内に縦樋を挿通するスペースを確保することができる等の優れた効果がある。
【図面の簡単な説明】
【図１】本発明の一実施例の施工状態の縦断側面図である。
【図２】本発明の要部である弾性支持体の外観斜視図である。
【図３】他の実施例の施工状態の縦断側面図である。
【図４】従来構成を示す施工状態の縦断側面図である。
【符号の説明】
１  ドレイン本体
２  固定装置
３  コンクリート型枠
４  位置決め板
５  筒状スペーサ
６  受皿部
６ａ  下底面
６ｂ  周壁
６ｃ  内底面
７  排水管部
８  環状間隙
９  弾性支持体
１２  挟圧板
ｐ  コンクリート
【図１】
0003942735.tif 000002
【図２】
0003942735.tif 000003
【図３】
0003942735.tif 000004
【図４】
0003942735.tif 000005